(57)【要約】【課題】容易に中蓋を開放することができるにもかかわらず、従来よりも簡易な構成で容易に製造できる化粧料容器を得る。【解決手段】容器本体１と、蓋体２と、化粧料を充填した中皿３とを備えている。縁部１２の容器本体１手前側には、縁部１２の外側方向に突出しているつば部１４が設けられている。また、中皿３の側部には、つば部１４の突出方向に中心軸を有した枢軸２０が設けられている。枢軸２０は、つば部１４と容器本体１との間において、回動部材１５を回動自在に軸支しているものである。回動部材１５の一端部側は、操作片１３の容器本体１底部側に固設されている。操作片１３は、縁部１２に沿ってつば部１４に隣設されており、縁部１２の外側方向に突出した板状の突出部からなっている。また、回動部材１５の他端部側は、つば部１４の容器本体１底部側に当接するように設けられている。【選択図】図３
2010178784.tif 000002
【特許請求の範囲】
【請求項１】
化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体とを備えている化粧料容器であって、
前記中蓋における前記中皿に蝶着された部位に相対する縁部に、前記縁部の外側方向に突出するように設けられたつば部と、
前記縁部に沿って前記つば部に隣設された操作片と、
前記つば部の突出方向に中心軸を有した枢軸と、
一端部が前記操作片の前記容器本体底部側に固設され、他端部が前記つば部の前記容器本体底部側に設けられているとともに前記枢軸を軸として前記つば部を押動自在に回動する回動部材とを備えていることを特徴とする化粧料容器。
【請求項２】
前記枢軸が、前記つば部と前記容器本体内側の底部との間において前記容器本体内側の底部に近設されていることを特徴とする請求項１に記載の化粧料容器。
【請求項３】
前記操作片が、前記縁部の外側方向に突出した突出部を有していることを特徴とする請求項１又は２に記載の化粧料容器。
【発明の詳細な説明】
【技術分野】
【０００１】
本発明は、化粧料を充填した中皿を収容する化粧料容器に関する。
【背景技術】
【０００２】
従来から、化粧料が充填された中皿を内部に収容してなる化粧料容器が開発され、販売されている。このような化粧料容器としては、例えば、容器本体の蓋体が不用意に開放されても、該開放のみに起因して前記中皿を気密状態に維持する中蓋が開放されてしまわないように工夫されたものが公知となっている（下記特許文献１〜３参照）。
【先行技術文献】
【特許文献】
【０００３】
【特許文献１】特開２００８−２１２２２９号公報
【特許文献２】特開２００８−２１２２４４号公報
【特許文献３】特開２００８−２５３２８２号公報
【発明の概要】
【発明が解決しようとする課題】
【０００４】
しかしながら、上記特許文献１〜３のものは、容易に前記中蓋を開放することができるものの、前記中蓋の開放を行う開放機構が複雑なものとなっており、容易に製造できるものではなかった。
【０００５】
そこで、本発明の目的は、容易に前記中蓋を開放することができるにもかかわらず、従来よりも簡易な構成で容易に製造できる化粧料容器を得ることである。
【課題を解決するための手段】
【０００６】
（１）本発明は、化粧料を充填した中皿と、前記中皿に開閉自在に蝶着され、前記中皿を気密状態に維持する中蓋と、側壁に囲まれ、前記中皿を収容する収容凹部を有した容器本体と、前記容器本体を蓋する蓋体とを備えている化粧料容器であって、前記中蓋における前記中皿に蝶着された部位に相対する縁部に、前記縁部の外側方向に突出するように設けられたつば部と、前記縁部に沿って前記つば部に隣設された操作片と、前記つば部の突出方向に中心軸を有した枢軸と、一端部側が前記操作片の前記容器本体底部側に固設され、他端部側が前記つば部の前記容器本体底部側に設けられているとともに前記枢軸を軸として前記つば部を押動自在に回動する回動部材とを備えているものである。
【０００７】
上記（１）の構成によれば、力点として前記操作片を操作し、前記枢軸を支点として前記回動部材を回動させるだけで、前記中蓋に設けられた前記つば部を押動できるので、容易に前記中蓋を開放することができる。また、従来よりも簡易な構成であるので、より容易に製造できる化粧料容器を提供できる。
【０００８】
（２）  上記（１）の化粧料容器においては、前記枢軸が、前記つば部と前記容器本体内側の底部との間において前記容器本体内側の底部に近設されていることが好ましい。
【０００９】
上記（２）の構成によれば、前記枢軸が、前記つば部と前記容器本体との間において前記容器本体内側の底部に近設されているので、てこの原理により、前記操作片を操作する際の力が比較的小さくても、前記回動部材を回動させ、前記中蓋に設けられた前記つば部を容易に押動できる。その結果として、より容易に前記中蓋を開放することができる。
【００１０】
（３）  上記（１）又は（２）の化粧料容器においては、前記操作片が、前記縁部の外側方向に突出した突出部を有していることが好ましい。
【００１１】
上記（３）の構成によれば、力を加える位置である力点としての前記操作片を操作しやすくでき、前記回動部材の他端部を容易に回動させることができる。その結果として、より容易に中蓋を開放することができる。
【図面の簡単な説明】
【００１２】
【図１】本発明の実施形態に係る化粧料容器を示す平面図であり、蓋体を取り外した状態のものである。
【図２】図１に示した化粧料容器のＡ−Ａ矢視断面図であって、蓋体も含めて表したものである。
【図３】図１に示した化粧料容器のＢ−Ｂ矢視断面図であって、蓋体も含めて表したものである。
【図４】図１に示した化粧料容器のＣ−Ｃ矢視断面図であって、蓋体も含めて表したものである。
【図５】図３に示した化粧料容器における蓋体を取り外して示した図であって、（ａ）が動作前を示したもの、（ｂ）が動作後を示したものである。
【図６】図５（ｂ）に示した化粧料容器のＤ−Ｄ矢視断面図であって、要部を拡大して示したものである。
【発明を実施するための形態】
【００１３】
以下、図１〜図６を参照して、本発明の実施形態に係る化粧料容器を説明する。
【００１４】
図１〜図４に示すように、化粧料容器１００は、容器本体１と、蓋体２（図１には図示せず）と、化粧料（図示せず）を充填した中皿３とを備えている。
【００１５】
容器本体１は、側壁４に囲まれ、中皿３を収容する収容凹部５と、側壁６に囲まれ、化粧用パフ７を収容する収容凹部８とを有しているものである。
【００１６】
収容凹部５の側壁４には、中皿に設けられた凹型に陥没した係止部（図示せず）を固定係止するためのフック部４ａ、４ｂ、４ｃ、４ｄが突設されている。また、収容凹部５の底部には、蓋体２の開放時に、フック部４ａ、４ｂ、４ｃ、４ｄに固定係止されている中皿３を指で押し出して取り外すことができるように、孔１ａが形成されている。
【００１７】
収容凹部８の底部には、外部と連通している複数の孔１ｂが設けられている。なお、孔１ｂは、化粧用パフ７の湿気を低下させるために、すなわち通気性を高めるために形成されている。
【００１８】
蓋体２は、枢軸１６を介して容器本体１に開閉自在に蝶着されている。また、蓋体２の内側には、蓋体２の内側形状に沿って略長方形平面を有した鏡１７が設けられている。
【００１９】
容器本体１の前面には、フックピース１８が設けられており、フックピース１８を押すことにより（図３矢印参照）、蓋体２の前面に設けられたフック（係合爪）２ａと係止部１８ａとの係止を解除することができる。フック（係合爪）２ａと係止部１８ａとの係止の解除後、枢軸１６を軸として蓋体２の前面を係止部１８ａから遠ざける方向に回転させることにより、化粧料容器１００の開動作を行うことができる。また、化粧料容器１００の閉動作を行う場合には、枢軸１６を軸として蓋体２の前面を係止部１８ａに近づけるように回転させ、フック（係合爪）２ａを係止部１８ａに係止させればよい。
【００２０】
なお、フックピース１８が図３矢印方向に押された後、元の位置に自動的に戻るように、弾性部材１９がフックピース１８と容器本体１との間に設けられている。弾性部材１９は、例えば、バネ又はゴムなどからなる。
【００２１】
図２に示したように、中皿３には、蝶着部９における枢軸９ａを介して、樹脂製の中蓋１０が開閉自在に蝶着されており、中蓋１０の内側には、固定部材１１ａによって固定された環状のシール部材１１ｂが設けられている。シール部材１１ｂはゴム又はエラストマー等の軟質部材からなっており、中蓋１０が中皿３に当接した際に弾性変形して、中皿３を気密状態に保持できるようになっている。
【００２２】
図２及び図４に示したように、中蓋１０の蝶着部９に相対する縁部１２の先端内部側には、中皿３の縁部に形成された係止部３ａに係止することが可能なフック１０ａが設けられている。また、図１、図３、図４に示したように、縁部１２の容器本体１手前側には、縁部１２の外側方向に突出しているつば部１４が設けられている。また、図４に示したように、中皿３の側部には、つば部１４の突出方向に中心軸を有した枢軸２０が設けられている。この枢軸２０は、つば部１４と容器本体１との間において、回動部材１５を回動自在に軸支しているものである。
【００２３】
回動部材１５の一端部側は、操作片１３の容器本体１底部側に固設されている。操作片１３は、縁部１２に沿ってつば部１４に隣設されており、縁部１２の外側方向に突出した板状の突出部からなっている。また、回動部材１５の他端部側は、つば部１４の容器本体１底部側に当接するように設けられている。なお、回動部材１５は、前記他端部側から前記一端部側にかけて先細る略三角形の板状部材からなっている。
【００２４】
ここで、図５を用いて、中蓋１０の開閉動作について説明する。まず、図５（ａ）の矢印方向に操作片１３を指で押し、枢軸２０を軸として、回動部材１５の他端部を回動させ、該他端部によってつば部１４を押し上げる。これにより、図５（ｂ）に示したように、つば部１４と繋がっている中蓋１０も、点線の位置（図５（ａ）における中蓋１０の位置）から上部に押し上げられ、開放される。一方、中蓋１０を閉じる際には、単に、中蓋１０を図５（ａ）に示した位置まで戻すことにより、回動部材１５の他端部を図５（ｂ）に示した位置から図５（ａ）に示した位置まで押し戻せばよい。このように回動部材１５を中蓋１０を開放させるときと逆向きに回動させることで、回動部材１５の一端部及び操作片１３をも図５（ａ）に示した位置まで戻すことができ、中蓋１０を開放前の状態（中蓋１０が閉じられた状態）にすることができる。
【００２５】
上記構成によれば、力点として操作片１３を操作し、枢軸２０を支点として回動部材１５を回動させるだけで、中蓋１０に設けられたつば部１４を押動できるので、容易に中蓋１０を開放することができる。また、従来よりも簡易な構成であるので、より容易に製造できる化粧料容器１００を提供できる。
【００２６】
また、枢軸２０が、つば部１４と前記容器本体１内側の底部との間において容器本体１内側の底部（収容凹部８の底部）に近設されているので、てこの原理により、操作片１３を操作する際の力が比較的小さくても、回動部材１５を回動させ、中蓋１０に設けられたつば部１４を容易に押動できる。その結果として、より容易に中蓋１０を開放することができる。
【００２７】
また、操作片１３が縁部１２の外側方向に突出した板状の突出部であるので、力を加える位置である力点としての操作片１３を操作しやすくでき、回動部材１５の他端部を容易に回動させることができる。その結果として、より容易に中蓋１０を開放することができる。
【００２８】
なお、本発明は、特許請求の範囲を逸脱しない範囲で設計変更できるものであり、上記実施形態に限定されるものではない。例えば、上記実施形態においては、枢軸２０が中皿３における収容凹部８側の側部に固設されているものであるが、この代わりに、一端が回動部材に固設され、他端が中皿に設けられた穴部に回動自在に軸支されている枢軸を用いてもよい。このとき、上記実施形態と同様、該枢軸を軸として該回動部材が回動した際、該回動部材の他端部によって該中蓋を開放できるように、該穴部は該中皿の側部に形成されていればよい。
【００２９】
他に、上記実施形態の枢軸２０の代わりに、容器本体内側の底部（収容凹部の底部）に設けた一対の支持部材に架設されている枢軸を用いてもよい。このとき、該枢軸は、上記実施形態と同様、つば部１４の突出方向と同方向に中心軸を有しているとともに、回動部材１５と同様の回動部材を回動自在に軸支しており、該回動部材の他端部によって中蓋を開放できるようになっていればよい。
【００３０】
また、上記実施形態の枢軸２０は、つば部１４と容器本体１内側の底部（収容凹部８の底部）との間に設けられているが、これに限られず、枢軸を軸として回動部材を回動できるようになっており、回動部材の他端部において中蓋を開放できるように設けられていれば、どのような位置に設けられていてもよい。
【００３１】
また、上記実施形態における回動部材１５においては、他端部側から一端部側にかけて先細る略三角形の板状部材からなるが、これに限られず、枢軸を軸として回動するようになっており、回動部材の他端部において中蓋を開放できるように形成されていれば、どのような形状であってもよい。
【００３２】
また、上記実施形態においては、容器本体１の手前側につば部１４を設け、奥側に操作片１３を設ける構成としたが、この構成の代わりに、容器本体１の手前側に操作片を設け、奥側につば部を設ける構成としてもよい。このとき、回動部材及び枢軸においては、該操作片と該つば部との間において中皿の中心を通る鉛直平面を軸として、上記実施形態における回動部材１５及び枢軸２０に対して面対称の位置に設け、上記実施形態と同様、回動部材を回動させた際、該回動部材の他端部において中蓋を開放できるようにしておけばよい。
【符号の説明】
【００３３】
１    容器本体
１ａ、１ｂ    孔
２    蓋体
３    中皿
３ａ、１８ａ    係止部
４    側壁
４ａ    フック部
５、８    収容凹部
６    側壁
７    化粧用パフ
９    蝶着部
９ａ    枢軸
１０    中蓋
１０ａ    フック
１１ａ    固定部材
１１ｂ    シール部材
１２    縁部
１３    操作片
１４    つば部
１５    回動部材
１６、２０    枢軸
１７    鏡
１８    フックピース
１９    弾性部材
１００    化粧料容器
【図１】
2010178784.tif 000003
【図２】
2010178784.tif 000004
【図３】
2010178784.tif 000005
【図４】
2010178784.tif 000006
【図５】
2010178784.tif 000007
【図６】
2010178784.tif 000008